(57)【要約】【課題】複数の無停電電源装置間で電力を相互利用することができるとともに、漏電を防止することができる電力連携システム及び無停電電源装置を提供する。【解決手段】電力障害が発生した場合に、無停電電源装置１１，２１，３１の通信部１１６と、電力配電制御部５の通信部５２とが、電力線６，７を介して通信を行い、無停電電源装置１１のＭＣＵ１１７は、当該通信が可能か否かに基づいて電力線６，７が正常であるか否かを判断し、電力配電制御部５は、正常ではないと判断された電力線６，７を遮断し、無停電電源装置１１，２１，３１は、屋外電力系統から電力を当該無停電電源装置１１，２１，３１に供給する電力線６，７に、蓄電部１１２に蓄電されている電力を供給するように、電力連携システム１００を構成した。【選択図】図１
2011067034.tif 000002
【特許請求の範囲】
【請求項１】
複数の無停電電源装置と、前記複数の無停電電源装置間を接続する複数の電力線を備える電力連携システムであって、
外部電力系統から供給される電力を前記複数の電力線に分配供給する電力配電制御部を備え、
前記無停電電源装置は、
前記外部電力系統から前記電力線を介して供給される電力を蓄電する蓄電部と、
前記電力線を介して、他の前記無停電電源装置及び前記電力配電制御部と通信を行う第１の通信部と、備え、
前記電力連携システムにおいて電力障害が発生した場合に、前記外部電力系統から電力を当該無停電電源装置に供給する前記電力線に、前記蓄電部に蓄電されている電力を供給し、
前記電力配電制御部は、前記電力線を介して、前記複数の無停電電源装置と通信を行う第２の通信部を備え、
何れかの前記無停電電源装置である第１の無停電電源装置は、
前記第１の通信部に、他の前記無停電電源装置及び前記電力配電制御部に検査信号を送信させ、他の前記無停電電源装置及び前記電力配電制御部と前記第１の通信部による通信が可能か否かに基づいて前記電力線が正常であるか否かを判断する第１の判断手段を備え、
前記第１の判断手段による判断結果を前記第１の通信部により前記電力配電制御部に送信し、
前記電力配電制御部は、前記第２の通信部によって受信される前記判断結果に基づいて、前記第１の無停電電源装置によって正常でないと判断された前記電力線を遮断する電力連携システム。
【請求項２】
前記電力配電制御部は、前記外部電力系統からの電力供給が停止した場合に、前記外部電力系統との接続を遮断する屋外電力遮断部を備える請求項１に記載の電力連携システム。
【請求項３】
前記無停電電源装置は、前記蓄電部に蓄電されている電力の前記電力線への供給を制御する出力制御部を備え、
前記出力制御部は、前記電力線に供給する電力の電圧が所定値以上となった場合に、前記蓄電部と前記電力線との接続を遮断する請求項１又は２に記載の電力連携システム。
【請求項４】
前記無停電電源装置は、前記蓄電部の蓄電量から送電可能時間を算出する算出手段を備え、
前記無停電電源装置は、当該無停電電源装置の前記蓄電部の蓄電量が所定量以下となった旨を、前記第１の通信部によって他の前記無停電電源装置に通知し、
前記蓄電部の蓄電量が前記所定量より多い前記無停電電源装置が１台となった場合に、当該無停電電源装置は、前記算出手段によって算出された前記送電可能時間を前記第１の通信部により前記電力連携システムに備えられた電気機器に送信する請求項１乃至３の何れか一項に記載の電力連携システム。
【請求項５】
前記電力連携システムにおいて電力障害が発生した場合に、前記第１の無停電電源装置以外の他の前記無停電電源装置が、前記第１の無停電電源装置から所定時間内に前記検査信号を受信しない場合に、他の前記無停電電源装置の何れかが、前記第１の無停電電源装置として動作する請求項１乃至４の何れか一項に記載の電力連携システム。
【請求項６】
前記電力連携システムにおいて電力障害が発生した場合に、前記第１の無停電電源装置以外の他の前記無停電電源装置が、前記第１の無停電電源装置から所定時間内に前記検査信号を受信しない場合に、他の前記無停電電源装置のうち、前記蓄電部の蓄電量が最も多い無停電電源装置が前記第１の無停電電源装置として動作する請求項１乃至４の何れか一項に記載の電力連携システム。
【請求項７】
前記無停電電源装置は、
前記外部電力系統から入力される交流電圧の位相を検出する位相検出部と、
前記蓄電部に蓄電された電力を直流電圧から交流電圧に変換する変換部と、
を備え、
前記変換部は、前記位相検出部に検出された位相と同じ位相の交流電圧となるように前記直流電圧を変換し、前記外部電力系統から電力を当該無停電電源装置に供給する前記電力線に、変換後の前記交流電圧を供給する請求項１乃至６の何れか一項に記載の電力連携システム。
【請求項８】
前記外部電力系統の電力が回復した場合に、前記変換部は、前記蓄電部から前記電力線に供給される前記交流電圧の位相が前記外部電力系統の交流電圧の位相に一致するように、前記蓄電部から前記電力線に供給される前記交流電圧の位相を段階的に変更し、
前記電力配電制御部は、前記蓄電部から前記電力線に供給される前記交流電圧の位相が前記外部電力系統の交流電圧に一致した場合に、前記外部電力系統と前記電力線との遮断を解除する請求項７に記載の電力連携システム。
【請求項９】
前記無停電電源装置と接続されていない電力線を介して、前記電力配電制御部と接続される通信機を備え、
前記電力配電制御部は、
前記通信機と前記第２の通信部による通信が可能であるか否かに基づいて、当該電力配電制御部と前記通信機とを接続する前記電力線が正常であるか否かを判断する第２の判断手段を備え、
前記第２の判断手段により、通信不可能と判断された場合に、当該電力線を遮断する請求項１乃至８の何れか一項に記載の電力連携システム。
【請求項１０】
外部電力系統及び他の無停電電源装置と電力線を介して接続される無停電電源装置であって、
前記外部電力系統から前記電力線を介して供給される電力を蓄電する蓄電部と、
前記電力線を介して、他の前記無停電電源装置と通信を行う通信部と、
前記外部電力系統からの電力供給が停止した場合に、他の前記無停電電源装置と前記通信部による通信が可能か否かに基づいて当該電力線が正常であるか否かを判断する判断手段と、
を備え、
前記判断手段により正常と判断された前記電力線に、前記蓄電部に蓄電されている電力を供給する無停電電源装置。
【請求項１１】
前記無停電電源装置は、前記蓄電部に蓄電されている電力の前記電力線への供給を制御する出力制御部を備え、
前記出力制御部は、前記電力線に供給する電力の電圧が所定値以上となった場合に、前記蓄電部と前記電力線との接続を遮断する請求項１０に記載の無停電電源装置。
【請求項１２】
前記外部電力系統から前記電力線を介して入力される交流電圧の位相を検出する位相検出部と、
前記蓄電部に蓄電された電力を直流電圧から交流電圧に変換する変換部と、
を備え、
前記変換部は、前記位相検出部に検出された位相と同じ位相の交流電圧となるように前記直流電圧を変換し、前記外部電力系統から電力を当該無停電電源装置に供給する前記電力線に、変換後の前記交流電圧を供給する請求項１０又は１１に記載の無停電電源装置。
【請求項１３】
前記外部電力系統の電力が回復した場合に、
前記変換部は、前記蓄電部から前記電力線に供給される前記交流電圧の位相が前記外部電力系統の交流電圧の位相に一致するように、前記蓄電部から前記電力線に供給される前記交流電圧の位相を段階的に変更し、
前記無停電電源装置は、前記蓄電部から前記電力線に供給される前記交流電圧の位相が前記外部電力系統の交流電圧に一致した場合に、前記蓄電部に蓄電された電力の前記電力線への供給を停止する請求項１２に記載の無停電電源装置。
【発明の詳細な説明】
【技術分野】
【０００１】
本発明は電力連携システム及び無停電電源装置に関する。
【背景技術】
【０００２】
従来から、入力電源に停電などが生じた場合に、コンピュータや周辺装置に電力を供給する無停電電源装置（Ｕｎｉｎｔｅｒｒｕｐｔａｂｌｅ  Ｐｏｗｅｒ  Ｓｕｐｐｌｙ；ＵＰＳ）が知られている。例えば、特許文献１には、複数の無停電電源装置、無停電電源装置に接続される管理元コンピュータ、無停電電源装置に接続される管理対象コンピュータが記載されている。また、複数の無停電電源装置、管理元コンピュータ、管理対象コンピュータが、互いに、電気ケーブルを介して通信可能となっている。そして、管理元コンピュータによって、管理対象コンピュータの起動・停止を行うことができるとともに、管理元コンピュータによって、各無停電電源の状態監視を行うことができるようになっている。
【０００３】
また、特許文献２には、外部通信機器と通信を行う無停電電源装置が記載されている。特許文献２に記載の無停電電源装置は、メインバッテリ、バックアップ電源、シリアル通信部、無線通信部等を備えている。また、当該無停電電源装置は、シリアル通信部を介して上位装置とネットワーク接続されるとともに、無線通信部を介して無線端末（リモコン）と通信可能となっている。そして、商用電源から当該無停電電源装置への電力供給に障害が生じた場合には、メインバッテリからシリアル通信部及び無線通信部等に電力を供給し、ネットワーク通信及び無線通信を可能としている。さらに、メインバッテリの電力が尽きた場合には、バックアップ電源から無線通信部に電力を供給し、無線通信を可能としている。
【０００４】
また、特許文献３には、各種装置に電力を供給するための電源と情報処理装置との間に接続される無停電電源装置が記載されている。また、無停電電源装置と情報処理装置とはネットワークを介して通信可能となっている。そして、特許文献３では、停電などにより当該電源から電力が情報処理装置に供給されなくなった場合に、情報処理装置が情報処理の動作を適正に停止するまでの間、無停電電源装置が情報処理装置に電力を供給する技術が記載されている。
【先行技術文献】
【特許文献】
【０００５】
【特許文献１】特開２０００−２３６５８７号公報
【特許文献２】特許第３０７２６４４号公報
【特許文献３】特開２００５−２５３２３１号公報
【発明の概要】
【発明が解決しようとする課題】
【０００６】
しかしながら、特許文献１に記載の技術では、一の無停電電源装置において電力が枯渇した場合に、当該無停電電源装置に接続されているコンピュータの起動・停止の制御を行うことができなくなってしまう。
【０００７】
また、特許文献２に記載の技術においても、メインバッテリ及びバックアップ電源の電力が枯渇した場合には、無停電電源装置に接続される電気機器に電力を供給することができなくなってしまう。
【０００８】
また、特許文献３に記載の技術においても、無停電電源装置の電力が枯渇した場合については考慮されていない。さらに、特許文献３に記載の技術では、ネットワークに障害があった場合には、無停電電源装置が、情報処理装置が情報処理の動作を適正に停止したか否かを判断することができない。そのため、無停電電源装置は、情報処理装置に適切に送電することができない。
【０００９】
また、特許文献１及び３に記載の技術では、無停電電源装置に接続される電気機器が通信機能を有しない場合には、当該電気機器のトラブル（漏電や故障等）を検出することができない。
【課題を解決するための手段】
【００１０】
本発明の第１の態様にかかる電力連携システムは、複数の無停電電源装置と、前記複数の無停電電源装置間を接続する複数の電力線を備える。また、前記電力連携システムは、電力配電制御部を備える。前記電力配電制御部は、外部電力系統から供給される電力を前記複数の電力線に分配供給する。また、前記無停電電源装置は、蓄電部と、第１の通信部と、を備える。前記蓄電部は、前記外部電力系統から前記電力線を介して供給される電力を蓄電する。また、前記第１の通信部は、前記電力線を介して、他の前記無停電電源装置及び前記電力配電制御部と通信を行う。また、前記電力連携システムにおいて電力障害が発生した場合に、前記無停電電源装置は、前記外部電力系統から電力を当該無停電電源装置に供給する前記電力線に、前記蓄電部に蓄電されている電力を供給する。また、前記電力配電制御部は、前記電力線を介して、前記複数の無停電電源装置と通信を行う第２の通信部を備える。また、何れかの前記無停電電源装置である第１の無停電電源装置は、第１の判断手段を備える。前記第１の判断手段は、前記第１の通信部に、他の前記無停電電源装置及び前記電力配電制御部に検査信号を送信させ、他の前記無停電電源装置及び前記電力配電制御部と前記第１の通信部による通信が可能か否かに基づいて前記電力線が正常であるか否かを判断する。また、前記第１の無停電電源装置は、前記第１の判断手段による判断結果を前記第１の通信部により前記電力配電制御部に送信する。そして、前記電力配電制御部は、前記第２の通信部によって受信される前記判断結果に基づいて、前記第１の無停電電源装置によって正常でないと判断された前記電力線を遮断する。
【００１１】
本発明の第１の態様においては、電力連携システムにおいて電力障害が発生した場合に、各無停電電源装置は、外部電力系統の電力が供給される電力線に対して、蓄電部に蓄電されている電力を供給する。これにより、当該電力連携システムにおいて、複数の無停電電源装置は、お互いに、蓄電部に蓄電されている電力を相互利用することができる。
また、当該電力連携システムにおいては、複数の無停電電源装置と電力配電制御部とが電力線を介して通信を行うことができる。また、第１の無停電電源装置の第１の判断手段により、他の無停電電源装置及び電力配電制御部と通信が可能か否かに基づいて電力線が正常であるか否かが判断される。そして、電力配電制御部により、第１の無停電電源装置によって正常でないと判断された電力線が遮断される。これにより、電力線や当該電力線に接続される電気機器に漏電や故障などのトラブルが生じている場合には、当該電力線へ無停電電源装置の電力が供給されるのを防ぐことができ、漏電を防止することができる。
【００１２】
本発明の第２の態様にかかる無停電電源装置は、外部電力系統及び他の無停電電源装置と電力線を介して接続される。また、前記無停電電源装置は、蓄電部と、通信部と、判断手段と、を備えている。前記蓄電部は、前記外部電力系統から前記電力線を介して供給される電力を蓄電する。また、前記通信部は、前記電力線を介して、他の前記無停電電源装置と通信を行う。また、前記判断手段は、前記外部電力系統からの電力供給が停止した場合に、他の前記無停電電源装置と前記通信部による通信が可能か否かに基づいて当該電力線が正常であるか否かを判断する。そして、前記無停電電源装置は、前記判断手段により正常と判断された前記電力線に、前記蓄電部に蓄電されている電力を供給する。
【００１３】
本発明の第２の態様においては、前記外部電力系統からの電力供給が停止した場合に、無停電電源装置は、外部電力系統の電力が供給される電力線に対して、蓄電部に蓄電されている電力を供給する。これにより、当該無停電電源装置は、他の無停電電源装置と、蓄電部に蓄電されている電力を相互利用することができる。
また、前記無停電電源装置は、他の無停電電源装置と、電力線を介して通信を行うことができる。また、当該無停電電源装置の判断手段により、他の無停電電源装置と通信が可能か否かに基づいて電力線が正常であるか否かが判断される。そして、電力配電制御部により、当該無停電電源装置の判断手段によって正常でないと判断された電力線が遮断される。これにより、電力線や当該電力線に接続される電気機器に漏電や故障などのトラブルが生じている場合には、当該電力線へ無停電電源装置の電力が供給されるのを防ぐことができ、漏電を防止することができる。
【発明の効果】
【００１４】
本発明により、複数の無停電電源装置間で電力を相互利用することができるとともに、漏電を防止することができる。
【図面の簡単な説明】
【００１５】
【図１】本発明の実施の形態１にかかる電力連携システムの構成の一例を示す模式図である。
【図２】本発明の実施の形態１にかかる無停電電源装置の一例を示すブロック図である。
【図３】本発明の実施の形態１にかかる電力配電制御部の一例を示すブロック図である。
【図４】本発明の実施の形態１にかかる電力連携方法の一例を示すフローチャートである。
【図５】本発明の実施の形態１にかかる電力連携方法の一例を示すフローチャートである。
【図６】本発明の実施の形態１にかかる電力連携方法の一例を示すフローチャートである。
【図７】本発明の実施の形態１にかかる電力連携方法の一例を示すフローチャートである。
【発明を実施するための形態】
【００１６】
実施の形態１．
以下、図面を参照して本発明の実施の形態について説明する。
図１は、本発明の実施の形態１にかかる電力連携システム１００の構成の一例を示す模式図である。図１に示すように、電力連携システム１００は、無停電電源装置１１，２１，３１、通信機４、電力配電制御部５等を備えている。そして、電力連携システム１００は屋内に設けられ、通常状態において、屋外電力系統（外部電力系統）から電力が供給されている。
具体的には、屋外電力系統は、電力配電制御部５と接続されている。また、無停電電源装置１１，２１，３１は、電力配電制御部５を介して、屋外電力系統と接続されている。そして、電力配電制御部５は、屋外電力系統から供給される電力を複数の無停電電源装置１１，２１，３１に分配供給する。
【００１７】
より具体的には、複数の無停電電源装置１１，２１，３１、通信機４及び電力配電制御部５は電力線を介して互いに接続されている。電力線には、一般電力線６，７，８、個別電力線１２，２２，３２等がある。
図１に示す例においては、一般電力線６，７，８は、電力配電制御部５に接続され、屋外電力系統の電力が電力配電制御部５を介して供給される。また、一般電力線６，７は無停電電源装置１１，２１，３１に接続されている。そして、一般電力線６，７は、屋外電力系統の電力を無停電電源装置１１，２１，３１に供給する。また、一般電力線８は、通信機４に接続されている。そして、一般電力線８は、屋外電力系統の電力を通信機４に供給する。
また、個別電力線１２，２２，３２は、電力配電制御部５に接続されておらず、屋外電力系統の電力が直接には供給されない。また、個別電力線１２，２２，３２は、無停電電源装置１１，２１，３１に接続されている。そして、個別電力線１２，２２，３２には、屋外電力系統の電力又は無停電電源装置１１，２１，３１に蓄電された電力が供給される。また、個別電力線１２，２２，３２は、電気機器（図示省略）に接続されている。そして、個別電力線１２，２２，３２は、屋外電力系統の電力又は無停電電源装置１１，２１，３１に蓄電された電力を当該電気機器に供給する。
【００１８】
また、図１に示す例においては、無停電電源装置１１、無停電電源装置２１及び電力配電制御部５が一般電力線６によって接続されている。また、無停電電源装置３１、電力配電制御部５が一般電力線７によって接続されている。また、通信機４、電力配電制御部５が一般電力線８によって接続されている。したがって、無停電電源装置１１，２１と無停電電源装置３１とは、電力配電制御部５を介して接続されている。また、無停電電源装置１１，２１，３１と通信機４とは、電力配電制御部５を介して接続されている。
【００１９】
また、無停電電源装置１１は、個別電力線１２と接続されている。そして、屋外電力系統の電力又は無停電電源装置１１に蓄電された電力は、個別電力線１２と接続されている電気機器に供給される。同様に、無停電電源装置２１は、個別電力線２２と接続され、無停電電源装置３１は、個別電力線３２と接続されている。そして、屋外電力系統の電力又は無停電電源装置２１に蓄電された電力は、個別電力線２２と接続されている電力機器に供給される。また、屋外電力系統の電力又は無停電電源装置３１に蓄電された電力は、個別電力線３２と接続されている電力機器に供給される。
なお、電力連携システム１００に設けられる無停電電源装置１１，２１，３１や通信機４等の数は、図１に限定されるものではなく、任意である。また、各無停電電源装置１１，２１，３１、通信機４及び電力配電制御部５の接続関係も図１に限定されるものではない。
【００２０】
図２は、本発明の実施の形態１にかかる無停電電源装置１１，２１，３１の構成の一例を示すブロック図である。図２に示すように、無停電電源装置１１，２１，３１は、電力計測部１１１（位相検出部）、蓄電部１１２、ＤＣ／ＡＣ変換部１１３（変換部）、第１の出力制御回路１１４（出力制御部）、第２の出力制御回路１１５（出力制御部）、通信部１１６（第１の通信部、通信部）、ＭＣＵ（Ｍｉｃｒｏ  Ｃｏｎｔｒｏｌ  Ｕｎｉｔ）１１７（第１の判断手段、判断手段、算出手段）等を備えている。
【００２１】
通常状態において、屋外電力系統の電力は電力配電制御部５を介して、一般電力線６，７，８に供給される。また、一般電力線６，７は、無停電電源装置１１，２１，３１の電力計測部１１１に接続されている。そして、屋外電力系統の電力は、電力計測部１１１を介して無停電電源装置１１，２１，３１の第２の出力制御部１１５に供給される。そして、屋外電力系統の電力は、第２の出力制御部１１５を介して、個別電力線１２，２２，３２に供給される。
また、屋外電力系統の電力は、一般電力線６，７及び電力計測部１１１を介して無停電電源装置１１，２１，３１の蓄電部１１２等に供給される。
電力計測部１１１は、一般電力線６，７を介して供給される屋外電力系統の電力を計測する。具体的には、電力計測部１１１は、屋外電力系統から入力される電力の電圧を計測する。そして、電力計測部１１１は、例えば、屋外電力系統の電力の電圧が所定電圧以下となった場合に、アラーム信号をＭＣＵ１１７に入力する。
また、電力計測部１１１は、屋外電力系統から入力される交流電圧の位相を検出する。そして、電力計測部１１１は、検出した交流電圧の位相情報をＭＣＵ１１７に入力する。
【００２２】
蓄電部１１２は、例えば、チャージコントロール（図示省略）、バッテリ（図示省略）、ディスチャージコントロール（図示省略）等を備えている。また、蓄電部１１２には、電力計測部１１１を介して、屋外電力系統の電力が供給される。そして、蓄電部１１２は、屋外電力系統の電力をバッテリに蓄電する。
具体的には、チャージコントロールは、電力計測部１１１とバッテリとの接続を制御している。そして、チャージコントロールはバッテリの蓄電量が全量に達する前では開いており、バッテリの蓄電量が全量に達した場合には、閉じている。
また、ディスチャージコントロールは、バッテリの出力側に設けられている。そして、ディスチャージコントロールは、通常状態において閉じており、無停電電源装置１１，２１，３１の蓄電部１１２に蓄電された電力を一般電力線６，７や個別電力線１２，２２，３２に供給する場合に開く。
これにより、通常状態において、屋外電力系統の電力が蓄電部１１２に蓄電されるようになっている。
また、蓄電部１１２は、バッテリに蓄電されている蓄電量情報をＭＣＵ１１７に入力する。
【００２３】
ＤＣ／ＡＣ変換部１１３には、蓄電部１１２に蓄電された電力が入力される。具体的には、ＤＣ／ＡＣ変換部１１３には、蓄電部１１２から直流電圧が入力される。そして、ＤＣ／ＡＣ変換部１１３は、蓄電部１１２から入力された直流電圧を交流電圧に変換する。
また、ＤＣ／ＡＣ変換部１１３には、ＭＣＵ１１７から、電力計測部１１１によって検出された、屋外電力系統の交流電圧の位相情報が入力される。そして、ＤＣ／ＡＣ変換部１１３は、屋外電力系統の交流電圧の位相と同じ位相の交流電圧となるように、蓄電部１１２から入力された直流電圧を交流電圧に変換する。そして、ＤＣ／ＡＣ変換部１１３は、当該交流電圧を、第１の出力制御回路１１４、第２の出力制御回路１１５に入力する。
また、屋外電力系統の電力が回復し、蓄電部１１２に蓄電された電力の一般電力線６，７及び個別電力線１２，２２，３２への供給を停止する場合、ＤＣ／ＡＣ変換部１１３は、蓄電部１１２から一般電力線６，７及び個別電力線１２，２２，３２に供給される交流電圧の位相が屋外電力系統の交流電圧の位相と一致するように、蓄電部１１２から一般電力線６，７及び個別電力線１２，２２，３２に供給される交流電圧の位相を段階的に変更する。
具体的には、ＤＣ／ＡＣ変換部１１３は、蓄電部１１２から一般電力線６，７及び個別電力線１２，２２，３２に供給される交流電圧の位相を６Ｈｚ以下の周波数差ずつ変更して、屋外電力系統の交流電圧の位相と一致させる。
また、ＤＣ／ＡＣ変換部１１３は、変更後の交流電圧の位相情報を逐次ＭＣＵ１１７に入力する。
【００２４】
第１の出力制御回路１１４には、ＤＣ／ＡＣ変換部１１３によって変換された交流電圧が入力される。また、第１の出力制御回路１１４は、一般電力線６，７と接続されている。そして、第１の出力制御回路１１４は、ＭＣＵ１１７から入力される制御信号に従って、当該交流電圧の一般電力線６，７への供給を制御する。
具体的には、第１の出力制御回路１１４は、リレー回路又はトライアック素子等を備えており、ＭＣＵ１１７から入力されるＯＮ／ＯＦＦ信号に基づいて、ＤＣ／ＡＣ変換部１１３と一般電力線６，７との間を電気的に接続又は遮断する。
なお、第１の出力制御回路１１４は、ＭＣＵ１１７から入力される制御信号に従って、当該交流電圧の一般電力線６，７への供給を制御するものであれば、どのようなデバイスで構成されてもよく、リレー回路又はトライアック素子に限定されるものではない。
また、第１の出力制御回路１１４は、一般電力線６，７に供給する交流電圧の電圧値を計測する。また、第１の出力制御回路１１４は、当該電圧値をＭＣＵ１１７に入力する。そして、当該電圧値が所定値以上となった場合には、ＭＣＵ１１７から入力される制御信号に従って、蓄電部１１２に蓄電された電力の一般電力線６，７への供給を停止する。
【００２５】
第２の出力制御回路１１５には、ＤＣ／ＡＣ変換部１１３によって変換された交流電圧が入力される。また、第２の出力制御回路１１５は、個別電力線１２，２２，３２と接続されている。そして、第２の出力制御回路１１５は、ＭＣＵ１１７から入力される制御信号に従って、当該交流電圧の個別電力線１２，２２，３２への供給を制御する。
具体的には、第２の出力制御回路１１５は、第１の出力制御回路１１４と同様に、リレー回路又はトライアック素子等を備えており、ＭＣＵ１１７から入力されるＯＮ／ＯＦＦ信号に基づいて、ＤＣ／ＡＣ変換部１１３と個別電力線１２，２２，３２との間を電気的に接続又は遮断する。
また、第２の出力制御回路１１５は、第１の出力制御回路１１４と同様に、ＭＣＵ１１７から入力される制御信号に従って、当該交流電圧の個別電力線１２，２２，３２への供給を制御するものであれば、どのようなデバイスで構成されてもよく、リレー回路又はトライアック素子に限定されるものではない。
また、第２の出力制御回路１１５は、個別電力線１２，２２，３２に供給する交流電圧の電圧値を計測する。また、第２の出力制御回路１１５は、当該電圧値をＭＣＵ１１７に入力する。そして、当該電圧値が所定値以上となった場合には、ＭＣＵ１１７から入力される制御信号に従って、屋外電力系統から供給される電力又は蓄電部１１２に蓄電された電力の個別電力線１２，２２，３２への供給を停止する。
【００２６】
通信部１１６は、ＭＣＵ１１７から入力される制御信号に従って、当該無停電電源装置１１，２１，３１と、他の無停電電源装置１１，２１，３１及び電力配電制御部５との通信を行う。例えば、通信部１１６は、他の無停電電源装置１１，２１，３１及び電力配電制御部５に検査信号を送信する。また、通信部１１６は、他の無停電電源装置１１，２１，３１から検査信号を受信した場合に、検査信号受信信号を当該他の無停電電源装置１１，２１，３１に送信する。また、通信部１１６は、他の無停電電源装置１１，２１，３１及び電力配電制御部５から検査信号受信信号を受信する。
【００２７】
ＭＣＵ１１７は、ＣＰＵ（Ｃｅｎｔｒａｌ  Ｐｒｏｃｅｓｓｉｎｇ  Ｕｎｉｔ；図示省略）、ＲＯＭ（Ｒｅａｄ  Ｏｎｒｙ  Ｍｅｍｏｒｙ；図示省略）、ＲＡＭ（Ｒａｍｄｏｍ  Ａｃｃｅｓｓ  Ｍｅｍｏｒｙ；図示省略）等を備えている。そして、ＭＣＵ１１７は、ＣＰＵがＲＯＭ内に格納されている各種プログラムを実行し、ＲＡＭに展開することにより、無停電電源装置１１，２１，３１の各部を制御する。具体的には、ＭＣＵ１１７は、例えば、第１の判断手段（判断手段）、算出手段等の各種手段として機能する。
【００２８】
ここで、電力連携システム１００においては、複数の無停電電源装置１１，２１，３１のうち何れかがマスター無停電電源装置（第１の無停電電源装置）となることが予め定められている。本実施の形態では、無停電電源装置１１がマスター無停電電源装置である場合を例に挙げて、以下、説明する。
なお、後述するように、電力連携システム１００に備えられる複数の無停電電源装置１１，２１，３１のうち何れもが、マスター無停電電源装置となる可能性がある。そのため、マスター無停電電源装置として予め定められている無停電電源装置１１以外の無停電電源装置２１，３１のＭＣＵ１１７も、無停電電源装置１１のＭＣＵ１１７と同様の構成を有している。これにより、無停電電源装置２１，３１のＭＣＵ１１７は、当該無停電電源装置２１，３１がマスター無停電電源装置として機能するように、当該無停電電源装置２１，３１の各部を制御できるようになっているものとする。
【００２９】
まず、マスター無停電電源装置である無停電電源装置１１におけるＭＣＵ１１７について説明する。
マスター無停電電源装置である無停電電源装置１１において、ＭＣＵ１１７は、電力連携システム１００において電力障害が発生した場合に、通信部１１６を制御して、当該無停電電源装置１１と、他の無停電電源装置２１，３１及び電力配電制御部５との通信を行う。
具体的には、ＭＣＵ１１７は、通信部１１６を制御して、検査信号を他の無停電電源装置２１，３１及び電力配電制御部５に送信する。次いで、ＭＣＵ１１７は、当該無停電電源装置１１と、他の無停電電源装置２１，３１及び電力配電制御部５との通信が可能か否かに基づいて、一般電力線６，７が正常か否かを判断する。具体的には、ＭＣＵ１１７は、通信部１１６が、他の無停電電源装置２１，３１及び電力配電制御部５から検査信号受信信号を受信したか否かに基づいて、通信が可能か否かを判断する。そして、ＭＣＵ１１７は、他の無停電電源装置２１，３１及び電力配電制御部５との通信が可能か否かに基づいて、一般電力線６，７が正常か否かを判断する。また、ＭＣＵ１１７は、通信部１１６を制御して、当該判断結果を電力配電制御部５及び他の無停電電源装置２１，３１に送信する。
【００３０】
なお、個別電力線１２に通信機能を有する電気機器が接続されている場合には、ＭＣＵ１１７は、通信部１１６を制御して、検査信号を当該電気機器にも送信する。また、ＭＣＵ１１７は、通信部１１６が、当該電気機器から検査信号受信信号を受信したか否かに基づいて、当該電気機器と通信可能か否かを判断する。そして、ＭＣＵ１１７は、当該電気機器との通信が可能か否かに基づいて、個別電力線１２が正常か否かを判断する。
そして、ＭＣＵ１１７は、個別電力線１２が正常ではないと判断した場合に、当該個別電力線１２とＤＣ／ＡＣ変換部１１３との接続を遮断する制御信号を第２の出力制御回路１１５に入力する。具体的には、ＭＣＵ１１７は、個別電力線１２が正常ではないと判断した場合に、ＯＦＦ信号を第２の出力制御回路１１５に入力する。
【００３１】
また、予め、ＲＯＭ等のＭＣＵ１１７内のメモリに、電力連携システム１００における無停電電源装置１１，２１，３１、通信機４、電力配電制御部５及びその他電気機器の接続関係が記憶されていることにより、ＭＣＵ１１７は、電力連携システム１００に備えられている無停電電源装置１１，２１，３１、通信機４、電力配電制御部５及びその他電気機器等と通信可能か否かに基づいて、何れの電力線が正常か否かを判断することができる。
【００３２】
また、電力連携システム１００において電力障害が発生した場合としては、例えば、屋外電力系統からの電力供給が停止した場合等が挙げられる。ＭＣＵ１１７は、屋外電力系統からの電力供給が停止したか否かを、例えば、電力計測部１１１からアラーム信号が入力されたか否かによって判断する。
【００３３】
また、ＭＣＵ１１７は、第１の出力制御回路１１４から入力される、一般電力線６に供給する交流電圧の電圧値に基づいて、当該電圧値が所定値以上となったか否かを判断する。ＭＣＵ１１７は、当該電圧値が所定値以上となったと判断した場合には、蓄電部１１２に蓄電された電力の一般電力線６への供給を停止する制御信号を第１の出力制御回路１１４に入力する。
同様に、ＭＣＵ１１７は、第２の出力制御回路１１５から入力される、個別電力線１２に供給する交流電圧の電圧値に基づいて、当該電圧値が所定値以上となったか否かを判断する。ＭＣＵ１１７は、当該電圧値が所定値以上となったと判断した場合には、屋外電力系統から供給される電力又は蓄電部１１２に蓄電された電力の個別電力線１２への供給を停止する制御信号を第２の出力制御回路１１５に入力する。
【００３４】
また、ＭＣＵ１１７は、蓄電部１１２から入力される蓄電量情報に基づいて、蓄電量が所定量以下となったか否かを判断する。そして、ＭＣＵ１１７は、蓄電量が所定量以下となったと判断した場合、通信部１１６を制御して、蓄電量が所定量以下となった旨を、他の無停電電源装置２１，３１に送信する。
また、ＭＣＵ１１７は、蓄電部１１２から入力される蓄電量情報に基づいて、送電可能時間を算出する。また、ＭＣＵ１１７は、他の無停電電源装置２１，３１から送信された蓄電量が所定量以下となった旨の通知に基づいて、電力連携システム１００において、当該無停電電源装置１１が、蓄電部１１２の蓄電量が所定量より多い最後の１台の無停電電源装置となったか否かを判断する。そして、ＭＣＵ１１７は、当該無停電電源装置１１が、蓄電部１１２の蓄電量が所定量より多い最後の１台の無停電電源装置となったと判断した場合には、通信部１１６を制御して、算出した送電可能時間を、電力連携システム１００に備えられた電気機器に送信する。
【００３５】
なお、図２において図示していないが、屋外電力系統の電力は、電力計測部１１１を介してＭＣＵ１１７に供給される。また、屋外電力系統の電力は、電力計測部１１１及びＭＣＵ１１７を介して通信部１１６に供給される。
【００３６】
また、無停電電源装置１１のＭＣＵ１１７は、通信部１１６が電力配電制御部５から屋外電力系統の電力が回復した旨の通知を受信した場合に、電力配電制御部５から当該通知とともに送信される屋外電力系統の電力の位相情報をＤＣ／ＡＣ変換部１１３に入力する。
また、ＭＣＵ１１７は、ＤＣ／ＡＣ変換部１１３から入力される変更後の交流電圧の位相情報に基づいて、蓄電部１１２から一般電力線６及び個別電力線１２に供給される交流電圧の位相が屋外電力系統の交流電圧の位相と一致したか否かを判断する。そして、蓄電部１１２から一般電力線６及び個別電力線１２に供給される交流電圧の位相が屋外電力系統の交流電圧の位相と一致した場合に、ＭＣＵ１１７は、通信部１１６を制御して、送電開始信号を電力配電制御部５に送信する。次いで、ＭＣＵ１１７は、通信部１１６が電力配電制御部５から送電停止信号を受信した場合には、第１の出力制御回路１１４を制御して、蓄電部１１２に蓄電されている電力の一般電力線６及び個別電力線１２への供給を停止させる。同時に、ＭＣＵ１１７は、他の無停電電源装置２１，３１に、送電停止信号を送信する。
【００３７】
次に、マスター無停電電源装置として予め定められていない無停電電源装置２１，３１におけるＭＣＵ１１７について説明する。
マスター無停電電源装置として予め定められていない無停電電源装置２１，３１において、ＭＣＵ１１７は、電力連携システム１００において電力障害が発生した場合に、通信部１１６が、マスター無停電電源装置である無停電電源装置１１から、所定時間内に、検査信号を受信したか否かを判断する。そして、ＭＣＵ１１７は、無停電電源装置１１から、所定時間内に、検査信号を受信したと判断した場合には、通信部１１６を制御して、検査信号受信信号を無停電電源装置１１に送信する。一方、ＭＣＵ１１７は、無停電電源装置１１から、所定時間内に、検査信号を受信していないと判断した場合には、電力連携システム１００における、無停電電源装置１１以外の何れかの無停電電源装置２１，３１がマスター無停電電源装置として機能するための制御を行う。
【００３８】
具体的には、ＭＣＵ１１７は、無停電電源装置１１から、所定時間内に、検査信号を受信していないと判断した場合には、通信部１１６を制御して、蓄電部１１２から入力される蓄電量情報を、他の無停電電源装置２１，３１に送信する。また、ＭＣＵ１１７は、通信部１１６が、他の無停電電源装置２１，３１から受信した蓄電量情報と、蓄電部１１２から入力される蓄電量情報とを比較して、電力連携システム１００において、何れの無停電電源装置２１，３１の蓄電量が最も多いか否かを判断する。そして、蓄電量が最も多い無停電電源装置２１，３１のＭＣＵ１１７は、当該無停電電源装置２１，３１がマスター無停電電源装置として機能するように、当該無停電電源装置２１，３１の各部を制御する。
【００３９】
なお、無停電電源装置２１，３１においても、無停電電源装置１１と同様に、個別電力線２２、３２に通信機能を有する電気機器が接続されている場合には、ＭＣＵ１１７は、通信部１１６を制御して、検査信号を当該電気機器にも送信する。また、ＭＣＵ１１７は、通信部１１６が、当該電気機器から検査信号受信信号を受信したか否かに基づいて、当該電気機器と通信可能か否かを判断する。そして、ＭＣＵ１１７は、当該電気機器との通信が可能か否かに基づいて、個別電力線２２，３２が正常か否かを判断する。
そして、ＭＣＵ１１７は、個別電力線２２，３２が正常ではないと判断した場合に、当該個別電力線２２，３２とＤＣ／ＡＣ変換部１１３との接続を遮断する制御信号を第２の出力制御回路１１５に入力する。具体的には、ＭＣＵ１１７は、個別電力線２２，３２が正常ではないと判断した場合に、ＯＦＦ信号を第２の出力制御回路１１５に入力する。
【００４０】
また、電力連携システム１００において電力障害が発生した場合としては、例えば、屋外電力系統からの電力供給が停止した場合等が挙げられる。そして、無停電電源装置２１，３１においても、無停電電源装置１１と同様に、ＭＣＵ１１７は、屋外電力系統からの電力供給が停止したか否かを、例えば、電力計測部１１１からアラーム信号が入力されたか否かによって判断する。
【００４１】
また、無停電電源装置２１，３１においても、無停電電源装置１１と同様に、ＭＣＵ１１７は、第１の出力制御回路１１４から入力される、一般電力線６，７に供給する交流電圧の電圧値に基づいて、当該電圧値が所定値以上となったか否かを判断する。ＭＣＵ１１７は、当該電圧値が所定値以上となったと判断した場合には、蓄電部１１２に蓄電された電力の一般電力線６，７への供給を停止する制御信号を第１の出力制御回路１１４に入力する。
同様に、ＭＣＵ１１７は、第２の出力制御回路１１５から入力される、個別電力線１２，２２，３２に供給する交流電圧の電圧値に基づいて、当該電圧値が所定値以上となったか否かを判断する。ＭＣＵ１１７は、当該電圧値が所定値以上となったと判断した場合には、屋外電力系統から供給される電力又は蓄電部１１２に蓄電された電力の個別電力線１２，２２，３２への供給を停止する制御信号を第２の出力制御回路１１５に入力する。
【００４２】
また、無停電電源装置２１，３１においても、無停電電源装置１１と同様に、ＭＣＵ１１７は、蓄電部１１２から入力される蓄電量情報に基づいて、蓄電量が所定量以下となったか否かを判断する。そして、ＭＣＵ１１７は、蓄電量が所定量以下となったと判断した場合、通信部１１６を制御して、蓄電量が所定量以下となった旨を、他の無停電電源装置１１，２１，３１に送信する。
また、ＭＣＵ１１７は、蓄電部１１２から入力される蓄電量情報に基づいて、送電可能時間を算出する。また、ＭＣＵ１１７は、他の無停電電源装置１１，２１，３１から送信された蓄電量が所定量以下となった旨の通知に基づいて、電力連携システム１００において、当該無停電電源装置２１，３１が、蓄電部１１２の蓄電量が所定量より多い最後の１台の無停電電源装置となったか否かを判断する。そして、ＭＣＵ１１７は、当該無停電電源装置２１，３１が、蓄電部１１２の蓄電量が所定量より多い最後の１台の無停電電源装置となったと判断した場合には、通信部１１６を制御して、算出した送電可能時間を、電力連携システム１００に備えられた電気機器に送信する。
【００４３】
なお、無停電電源装置２１，３１においても、無停電電源装置１１と同様に、屋外電力系統の電力は、電力計測部１１１を介してＭＣＵ１１７に供給される。また、屋外電力系統の電力は、電力計測部１１１及びＭＣＵ１１７を介して通信部１１６に供給される。
【００４４】
また、無停電電源装置２１，３１のＭＣＵ１１７は、通信部１１６がマスター無停電電源装置である無停電電源装置１１から送電停止信号を受信した場合に、第１の出力制御回路１１４を制御して、蓄電部１１２に蓄電されている電力の一般電力線６，７及び個別電力線２２，３２への供給を停止させる。
【００４５】
通信機４は、無停電電源装置１１，２１，３１が接続されない一般電力線８に接続されている。また、通信機４は、一般電力線８を介して電力配電制御部５に接続されている。そして、通信機４は、一般電力線８を介して、電力配電制御部５と通信を行う。
例えば、通信機４は、電力配電制御部５から送信された検査信号を受信し、検査信号受信信号を、電力配電制御部５に送信する。
【００４６】
図３は、本発明の実施の形態１にかかる電力配電制御部５の一例を示すブロック図である。図３に示すように、電力配電制御部５は、屋内電力スイッチ部５１、通信部５２（第２の通信部）、屋外電力スイッチ部５３（屋外電力遮断部）、電力計測部５４、ＭＣＵ５５（第２の判断手段）等を備えている。電力配電制御部５は、例えば、配電盤、分電盤等により構成される。
【００４７】
屋内電力スイッチ部５１は、屋内の電力線と接続されている。ここで、屋内電力スイッチ部５１と接続される電力線には、一般電力線６，７，８が含まれている。また、屋内電力スイッチ部５１には、屋外電力スイッチ部５３を介して、屋外電力系統の電力が供給される。そして、屋内電力スイッチ部５１は、ＭＣＵ５５から入力される制御信号に従って、屋内の各電力線の遮断を制御する。これにより、屋内電力スイッチ部５１は、屋内の各電力線への屋外電力系統の電力の供給を制御する。
【００４８】
通信部５２は、屋内電力スイッチ部５１と屋外電力スイッチ部５３との間を接続する電力線と接続されている。そして、通信部５２は、ＭＣＵ５５から入力される制御信号に従って、無停電電源装置１１，２１，３１及び通信機４との通信を行う。例えば、通信部５２は、無停電電源装置１１，２１，３１から検査信号を受信した場合に、検査信号受信信号を無停電電源装置１１，２１，３１に送信する。また、通信部５２は、無停電電源装置１１，２１，３１から検査信号を受信した場合に、検査信号を通信機４に送信する。さらに、通信部５２は、通信機４から送信される検査信号受信信号を受信する。
また、通信部５２は、屋外電力系統の電力が回復した場合に、ＭＣＵ５５から入力される制御信号に従って、屋外電力系統の電力が回復した旨の通知を、マスター無停電電源装置である無停電電源装置１１に送信する。また、同時に、通信部５２は、屋外電力系統の電力の位相情報を無停電電源装置１１に連続的に送信する。例えば、通信部５２は、屋外電力系統の交流電圧が０Ｖの立ち上がりエッジとなる度に、位相情報を無停電電源装置１１に送信する。
また、通信部５２は、無停電電源装置１１から送電開始信号を受信した場合に、ＭＣＵ５５から入力される制御信号に従って、送電停止信号を無停電電源装置１１に送信する。
【００４９】
屋外電力スイッチ部５３は、屋外電力系統と接続されている。そして、屋外電力スイッチ部５３は、ＭＣＵ５５から入力される制御信号に従って、屋外電力系統と屋内の電力線との接続の遮断を制御する。例えば、屋外電力系統からの電力供給が停止した場合に、屋外電力系統との接続を遮断する。これにより、屋外電力スイッチ部５３は、電力連携システム１００内の電力が、電力連携システム１００外に漏電するのを防止する。
【００５０】
電力計測部５４は、屋外電力系統と屋外電力スイッチ部５３との間を接続する電力線と接続されている。そして、電力計測部５４は、屋外電力系統から供給される屋外電力系統の電力を計測する。具体的には、電力計測部５４は、屋外電力系統から入力される電力の電圧を計測する。そして、電力計測部５４は、例えば、屋外電力系統の電力の電圧が所定電圧以下となった場合に、アラーム信号をＭＣＵ５５に入力する。
また、電力計測部５４は、屋内電力系統の電力の電圧が所定電圧を超えた場合には、屋内電力系統の電力が回復した旨の信号をＭＣＵ５５に入力する。
【００５１】
ＭＣＵ５５は、ＣＰＵ（図示省略）、ＲＯＭ（図示省略）、ＲＡＭ（図示省略）等を備えている。そして、ＭＣＵ５５は、ＣＰＵがＲＯＭ内に格納されている各種プログラムを実行し、ＲＡＭに展開することにより、電力配電制御部５の各部を制御する。具体的には、ＭＣＵ５５は、例えば、第２の判断手段等の各種手段として機能する。
【００５２】
より具体的には、ＭＣＵ５５は、マスター無停電電源装置として予め定められている無停電電源装置１１又はマスター無停電電源装置として機能することになった無停電電源装置２１，３１から検査信号を受信した場合や、屋外電力系統からの電力供給が停止した場合に、通信部５２を制御して、通信機４と通信を行う。具体的には、ＭＣＵ５５は、通信部５２を制御して、検査信号を通信機４に送信する。次いで、ＭＣＵ５５は、通信機４との通信が可能か否かに基づいて、一般電力線８が正常か否かを判断する。具体的には、ＭＣＵ５５は、通信部５２が通信機４から検査信号受信信号を受信したか否かに基づいて、通信可能か否かを判断する。
なお、ＭＣＵ５５は、屋外電力系統からの電力供給が停止したか否かを、例えば、電力計測部５４からアラーム信号が入力されたか否かによって判断する。そして、ＭＣＵ５５は、屋外電力系統からの電力供給が停止したと判断した場合に、屋外電力スイッチ部５３に、屋外電力系統と屋内の電力線との接続の遮断する制御信号を入力する。
【００５３】
また、無停電電源装置１１，２１，３１及び通信機４が接続されていない屋内の電力線であって、通信機能を有する電気機器が接続されている電力線がある場合には、ＭＣＵ５５は、通信部５２を制御して、検査信号を当該電気機器にも送信する。また、ＭＣＵ５５は、通信部５２が、当該電気機器から検査信号受信信号を受信したか否かに基づいて、当該電気機器と通信可能か否かを判断する。そして、ＭＣＵ５５は、当該電気機器との通信が可能か否かに基づいて、当該電力線が正常か否かを判断する。
そして、ＭＣＵ５５は、当該電力線が正常ではないと判断した場合に、当該電力線と屋外電力系統との接続を遮断する制御信号を屋内電力スイッチ部５１に入力する。
【００５４】
また、ＭＣＵ５５は、電力計測部５４から、屋内電力系統の電力が回復した旨の信号が入力された場合には、屋外電力スイッチ部５３を制御して、屋外電力系統と屋内の電力線との接続の遮断を解除する。
具体的には、ＭＣＵ５５は、屋内電力系統の電力が回復した場合に、通信部５２を制御して、屋外電力系統の電力が回復した旨の通知を、マスター無停電電源装置である無停電電源装置１１に送信する。また、同時に、ＭＣＵ５５は、通信部５２を制御して、屋外電力系統の電力の位相情報を無停電電源装置１１に連続的に送信する。
また、ＭＣＵ５５は、無停電電源装置１１から送電開始信号を受信した場合に、屋外電力スイッチ部５３を制御して、屋外電力系統と屋内の電力線との接続の遮断を解除するとともに、通信部５２を制御して、送電停止信号を無停電電源装置１１に送信する。
【００５５】
次に、本発明の実施の形態１にかかる電力連携システム１００における電力連携方法について、図４に示すフローチャートを参照しながら説明する。
まず、電力配電制御部５のＭＣＵ５５は、電力計測部５４からアラーム信号が入力されたか否かに基づいて、屋外電力系統からの電力供給が停止したか否かを判断する（ステップＳ１）。同様に、無停電電源装置１１，２１，３１のＭＣＵ１１７は、電力計測部１１１からアラーム信号が入力されたか否かに基づいて、電力連携システム１００において電力障害が生じたか否かを判断する。
【００５６】
ステップＳ１において、電力配電制御部５のＭＣＵ５５は、屋外電力系統からの電力供給が停止していないと判断した場合には（ステップＳ１；Ｎｏ）、スタートに戻る。
ステップＳ１において、電力配電制御部５のＭＣＵ５５は、屋外電力系統からの電力供給が停止したと判断した場合には（ステップＳ１；Ｙｅｓ）、屋外電力スイッチ部５３に、屋外電力系統と屋内の電力線との接続の遮断する制御信号を入力する。そして、当該制御信号が入力された屋外電力スイッチ部５３は、屋外電力系統との接続を遮断する（ステップＳ２）。
【００５７】
また、ステップＳ１において、無停電電源装置１１，２１，３１のＭＣＵ１１７は、電力連携システム１００において電力障害が生じたと判断した場合には（ステップＳ１；Ｙｅｓ）、無停電電源装置１１，２１，３１は、個別電力線１２，２２，３２へ蓄電部１１２に蓄電されている電力の供給を開始する（ステップＳ３）
【００５８】
次に、マスター無停電電源装置として予め定められている無停電電源装置１１のＭＣＵ１１７は、通信部１１６を制御して、通信検査を行う（ステップＳ４）。具体的には、無停電電源装置１１のＭＣＵ１１７は、通信部１１６を制御して、検査信号を他の無停電電源装置２１，３１及び電力配電制御部５に送信する。
また、同時に、電力配電制御部５のＭＣＵ５５は、通信部５２を制御して、通信機４に検査信号を送信する。
【００５９】
次いで、無停電電源装置１１のＭＣＵ１１７は、当該無停電電源装置１１と、他の無停電電源装置２１，３１及び電力配電制御部５との通信が可能か否かに基づいて、一般電力線６，７が正常か否かを判断する（ステップＳ５）。具体的には、ＭＣＵ１１７は、通信部１１６が、他の無停電電源装置２１，３１及び電力配電制御部５から検査信号受信信号を受信したか否かに基づいて、通信が可能か否かを判断する。そして、ＭＣＵ１１７は、他の無停電電源装置２１，３１及び電力配電制御部５との通信が可能か否かに基づいて、一般電力線６，７が正常か否かを判断する。
また、同時に、電力配電制御部５のＭＣＵ５５は、当該電力配電制御部５と通信機４との通信が可能か否かに基づいて、一般電力線８が正常か否かを判断する。具体的には、ＭＣＵ５５は、通信部５２が、通信機４から検査信号受信信号を受信したか否かに基づいて、通信が可能か否かを判断する。そして、ＭＣＵ５５は、通信機４との通信が可能か否かに基づいて、一般電力線８が正常か否かを判断する。
【００６０】
ステップＳ５において、無停電電源装置１１のＭＣＵ１１７は、一般電力線６，７が正常ではないと判断した場合（ステップＳ５；Ｎｏ）、当該判断結果を電力配電制御部５及び他の無停電電源装置２１，３１に入力する。そして、当該判断結果が入力された電力配電制御部５は、屋内電力スイッチ部５１を制御して、当該一般電力線６，７を遮断し（ステップＳ６）、ステップＳ７に進む。
また、同時に、電力配電制御部５のＭＣＵ５５は、一般電力線８が正常ではないと判断した場合、屋内電力スイッチ部５１を制御して、当該一般電力線８を遮断する。
なお、電力配電制御部５は、一般電力線６，７，８のうち、正常ではないと判断された一般電力線のみを遮断する。
【００６１】
ステップＳ５において、無停電電源装置１１のＭＣＵ１１７は、一般電力線６，７が正常であると判断した場合（ステップＳ５；Ｙｅｓ）、当該判断結果を電力配電制御部５及び他の無停電電源装置２１，３１に入力する。そして、無停電電源装置１１，２１，３１は、蓄電部１１２に蓄電されている電力の一般電力線６，７への供給を開始する（ステップＳ７）。このとき、当該判断結果に基づいて、電力配電制御部５において一般電力線６，７は遮断されない。そのため、無停電電源装置１１，２１，３１から一般電力線６，７に供給された電力は、電力配電制御部５に供給されて、一般電力線８へ供給され、通信機４に供給されることとなる。
【００６２】
次に、電力配電制御部５のＭＣＵ５５は、電力計測部５４から屋内電力系統の電力が回復した旨の信号が入力されたか否かに基づいて、屋内電力系統が回復したか否かを判断する（ステップＳ８）。
【００６３】
ステップＳ８において、電力配電制御部５のＭＣＵ５５は、屋内電力系統が回復していないと判断した場合には（ステップＳ８；Ｎｏ）、ステップＳ８の処理を繰り返す。
ステップＳ８において、電力配電制御部５のＭＣＵ５５が、屋内電力系統が回復したと判断した場合には（ステップＳ８；Ｙｅｓ）、無停電電源装置１１，２１，３１のＭＣＵ１１７は、第１の出力制御回路１１４を制御して、蓄電部１１２に蓄電されている電力の一般電力線６，７及び個別電力線１２，２２，３２への供給を停止させる（ステップＳ９）。
【００６４】
次に、図４のステップＳ３〜ステップＳ９までの処理において、何れかの無停電電源装置１１，２１，３１の蓄電部１１２の蓄電量が枯渇してしまった場合についての処理について、図５に示すフローチャートを参照しながら説明する。
まず、無停電電源装置１１，２１，３１のＭＣＵ１１７は、蓄電部１１２から入力される蓄電量情報に基づいて、蓄電部１１２の蓄電量が所定量以下となったか否かを判断する（ステップＳ１０１）。
【００６５】
ステップＳ１０１において、無停電電源装置１１，２１，３１のＭＣＵ１１７は、蓄電部１１２の蓄電量が所定量以下となっていないと判断した場合には（ステップＳ１０１；Ｎｏ）、スタートに戻る。
ステップＳ１０１において、無停電電源装置１１，２１，３１のＭＣＵ１１７は、蓄電部１１２の蓄電量が所定量以下となったと判断した場合には（ステップＳ１０１；Ｙｅｓ）、無停電電源装置１１，２１，３１のＭＣＵ１１７は、通信部１１６を制御して、蓄電量が所定量以下となった旨を他の無停電電源装置２１，３１に送信する（ステップＳ１０２）。そして、蓄電部１１２の電力が枯渇した無停電電源装置１１，２１，３１は、電力線への電力供給を停止する。
【００６６】
次いで、蓄電部１１２の蓄電量が所定量より多い無停電電源装置１１，２１，３１のＭＣＵ１１７は、蓄電部１１２の蓄電量が所定量より多い最後の１台の無停電電源装置となったか否かを判断する（ステップＳ１０３）。
【００６７】
ステップＳ１０３において、当該ＭＣＵ１１７は、当該無停電電源装置１１，２１，３１が、蓄電部１１２の蓄電量が所定量より多い最後の１台の無停電電源装置となっていないと判断した場合には（ステップＳ１０３；Ｎｏ）、ステップＳ１０１に戻る。
ステップＳ１０３において、当該ＭＣＵ１１７は、当該無停電電源装置１１，２１，３１が、蓄電部１１２の蓄電量が所定量より多い最後の１台の無停電電源装置となったと判断した場合には（ステップＳ１０３；Ｙｅｓ）、当該ＭＣＵ１１７は、蓄電部１１２から入力される蓄電量情報に基づいて、送電可能時間を算出する。そして、通信部１１６を制御して、当該送電可能時間を、電力連携システム１００に備えられた電気機器に送信する（ステップＳ１０４）。
【００６８】
なお、当該所定量は、電力連携システム１００に備えられた電気機器が正常に動作を停止するのに十分な電力量であり、当該送電可能時間は、安全上の課題から１分以上であることが好ましい。
【００６９】
次に、蓄電部１１２の蓄電量が所定量より多い最後の１台の無停電電源装置となった無停電電源装置１１，２１，３１は、蓄電部１１２の電力が枯渇した時点で、電力線への電力供給を停止する（ステップＳ１０５）。
【００７０】
次に、図４のステップＳ４において、マスター無停電電源装置として予め定められている無停電電源装置１１が故障等により通信不能となっている場合の処理について、図６に示すフローチャートを参照しながら説明する。
なお、ステップＳ２０１、ステップＳ２０２及びステップＳ２０５における処理は、それぞれ、図４のステップＳ１、ステップＳ３及びステップＳ７における処理と同じであるため、その説明を省略する。
マスター無停電電源装置である無停電電源装置１１以外の無停電電源装置２１，３１のＭＣＵ１１７は、通信部１１６が、マスター無停電電源装置である無停電電源装置１１から、検査信号を受信したか否かを判断する（ステップＳ２０３）。
【００７１】
ステップＳ２０３において、無停電電源装置２１，３１のＭＣＵ１１７は、通信部１１６が、マスター無停電電源装置である無停電電源装置１１から、検査信号を受信したと判断した場合には（ステップＳ２０３；Ｙｅｓ）、当該ＭＣＵ１１７は、通信部１１６を制御して、検査信号受信信号をマスター無停電電源装置である無停電電源装置１１に送信する（ステップＳ２０４）。
【００７２】
ステップＳ２０３において、無停電電源装置２１，３１のＭＣＵ１１７は、通信部１１６が、マスター無停電電源装置である無停電電源装置１１から、検査信号を受信していないと判断した場合には（ステップＳ２０３；Ｎｏ）、当該ＭＣＵ１１７は、所定時間が経過したか否かを判断する（ステップＳ２０６）。
【００７３】
ステップＳ２０６において、無停電電源装置２１，３１のＭＣＵ１１７は、所定時間が経過していないと判断した場合には（ステップＳ２０６；Ｎｏ）、ステップＳ２０３に戻る。
ステップＳ２０６において、無停電電源装置２１，３１のＭＣＵ１１７は、所定時間が経過したと判断した場合には（ステップＳ２０６；Ｙｅｓ）、当該ＭＣＵ１１７は、電力連携システム１００における、無停電電源装置１１以外の何れかの無停電電源装置２１，３１がマスター無停電電源装置として機能するための制御を行う（ステップＳ２０７）。
【００７４】
具体的には、当該ＭＣＵ１１７は、無停電電源装置１１から、所定時間内に、検査信号を受信していないと判断した場合（ステップＳ２０６；Ｙｅｓ）には、通信部１１６を制御して、蓄電部１１２から入力される蓄電量情報を、他の無停電電源装置２１，３１に送信する。また、ＭＣＵ１１７は、通信部１１６が、他の無停電電源装置２１，３１から受信した蓄電量情報と、蓄電部１１２から入力される蓄電量情報を比較して、電力連携システム１００において、何れの無停電電源装置２１，３１の蓄電量が最も多いか否かを判断する。そして、蓄電量が最も多い無停電電源装置２１，３１のＭＣＵ１１７は、当該無停電電源装置２１，３１がマスター無停電電源装置として機能するように、当該無停電電源装置２１，３１の各部を制御する。
なお、ここで、新たにマスター無停電電源装置として機能する無停電電源装置２１，３１は、図４のステップＳ４、ステップＳ５等の処理を行う。そして、当該処理によって、無停電電源装置１１との通信が不可能である場合は、一般電力線６が正常ではないと判断される。そのため、電力供給制御部５により、一般電力線６が遮断されることとなり、一般電力線６に、無停電電源装置１１，２１，３１の電力が供給されることを防ぐことができる。
【００７５】
次に、屋外電力系統の電力が回復した場合における電力連携システム１００の電力連携方法について、すなわち、図４のステップＳ８及びステップＳ９における処理について、図７に示すフローチャートを参照しながら説明する。
まず、電力配電制御部５のＭＣＵ５５は、電力計測部５４から、屋内電力系統の電力が回復した旨の信号が入力されたか否かに基づいて、屋内電力系統の電力が回復したか否かを判断する（ステップＳ３０１）。
【００７６】
ステップＳ３０１において、ＭＣＵ５５は、屋内電力系統の電力が回復していないと判断した場合には（ステップＳ３０１；Ｎｏ）、スタートに戻る。
ステップＳ３０１において、ＭＣＵ５５は、屋内電力系統の電力が回復したと判断した場合には（ステップＳ３０１；Ｙｅｓ）、屋外電力系統の電力が回復した旨の通知を、マスター無停電電源装置である無停電電源装置１１に送信する（ステップＳ３０２）。同時に、ＭＣＵ５５は、通信部５２を制御して、屋外電力系統の電力の位相情報を無停電電源装置１１に連続的に送信する。
【００７７】
次に、無停電電源装置１１のＭＣＵ１１７は、電力配電制御部５から送信される屋外電力系統の電力の位相情報をＤＣ／ＡＣ変換部１１３に入力し、ＤＣ／ＡＣ変換部１１３において、蓄電部１１２から一般電力線６及び個別電力線１２に供給される交流電圧の位相が屋外電力系統の交流電圧の位相と一致するように、段階的に変更される（ステップＳ３０３）。
【００７８】
次に、ＭＣＵ１１７は、ＤＣ／ＡＣ変換部１１３から入力される変更後の交流電圧の位相情報に基づいて、蓄電部１１２から一般電力線６及び個別電力線１２に供給される交流電圧の位相が屋外電力系統の交流電圧の位相と一致したか否かを判断する（ステップＳ３０４）。
【００７９】
ステップＳ３０４において、ＭＣＵ１１７は、蓄電部１１２から一般電力線６及び個別電力線１２に供給される交流電圧の位相が屋外電力系統の交流電圧の位相と一致していないと判断した場合は（ステップＳ３０４；Ｎｏ）、ステップＳ３０３に戻る。
ステップＳ３０４において、ＭＣＵ１１７は、蓄電部１１２から一般電力線６及び個別電力線１２に供給される交流電圧の位相が屋外電力系統の交流電圧の位相と一致したと判断した場合は（ステップＳ３０４；Ｙｅｓ）、通信部１１６を制御して、送電開始信号を電力配電制御部５に送信する（ステップＳ３０５）。
【００８０】
次に、ＭＣＵ５５は、屋外電力スイッチ部５３を制御して、屋外電力系統と屋内の電力線との接続の遮断を解除するとともに、通信部５２を制御して、送電停止信号を無停電電源装置１１に送信する（ステップＳ３０６）。
【００８１】
次に、無停電電源装置１１のＭＣＵ１１７は、第１の出力制御回路１１４を制御して、蓄電部１１２に蓄電されている電力の一般電力線６及び個別電力線１２への供給を停止させる。同時に、ＭＣＵ１１７は、他の無停電電源装置２１，３１に、送電停止信号を送信する（ステップＳ３０７）。これにより、他の無停電電源装置２１，３１においても、蓄電部１１２に蓄電されている電力の一般電力線６，７及び個別電力線２２，３２への供給が停止される（ステップＳ３０８）。
【００８２】
以上に説明した本発明の実施の形態１にかかる電力連携システム１００によれば、電力連携システム１００において電力障害が発生した場合に、各無停電電源装置１１，２１，３１は、屋外電力系統の電力が供給される一般電力線６、７に対して、蓄電部１１２に蓄電されている電力を供給する。これにより、当該電力連携システム１００において、複数の無停電電源装置１１，２１，３１は、お互いに、蓄電部１１２に蓄電されている電力を相互利用することができる。
また、当該電力連携システム１００においては、複数の無停電電源装置１１，２１，３１と電力配電制御部５とが一般電力線６，７を介して通信を行うことができる。また、マスター無停電電源装置である無停電電源装置１１のＭＣＵ１１７により、他の無停電電源装置２１，３１及び電力配電制御部５と通信が可能か否かに基づいて一般電力線６，７が正常であるか否かが判断される。そして、電力配電制御部５により、無停電電源装置１１によって正常でないと判断された一般電力線６，７が遮断される。これにより、一般電力線６，７や当該一般電力線６，７に接続される電気機器に漏電や故障などのトラブルが生じている場合には、当該一般電力線６，７へ無停電電源装置１１，２１，３１の電力が供給されるのを防ぐことができ、漏電を防止することができる。
【００８３】
また、屋外電力スイッチ部５３により、屋外電力系統からの電力供給が停止した場合に、屋外電力系統との接続が遮断される。これにより、電力連携システム１００内の電力が当該電力連携システム１００外に漏電するのを防止することができる。
【００８４】
また、第１の出力制御回路１１４により、蓄電部１１２に蓄電されている電力の一般電力線６，７への供給が制御される。そして、第１の出力制御回路１１４は、一般電力線６，７に供給する電力の電圧が所定値以上となった場合に、蓄電部１１２と一般電力線６，７との接続を遮断する。これにより、一般電力線６，７が漏電していた場合には、第１の出力制御回路１１４によって、蓄電部１１２に蓄電されている電力が一般電力線６，７に供給されずに済む。
【００８５】
また、無停電電源装置１１，２１，３１は、蓄電部１１２の蓄電量が所定量以下となった旨を、通信部１１６によって他の無停電電源装置１１，２１，３１に通知する。また、蓄電部１１２の蓄電量が当該所定量より多い無停電電源装置１１，２１，３１が１台となった場合に、当該無停電電源装置１１，２１，３１は、ＭＣＵ１１６によって算出された送電可能時間を通信部１１６により電力連携システム１００に備えられた電気機器に送信する。
これにより、電力連携システム１００に備えられた全ての無停電電源装置１１，２１，３１の蓄電量が枯渇して、全ての無停電電源装置１１，２１，３１が送電不可能な状態となる前に、電力連携システム１００に備えられた電気機器に送電可能時間が送信される。そのため、各電気機器は、送電が停止する前に、安全な状態で、動作を停止する処理を行うことができる。
【００８６】
また、電力連携システム１００において電力障害が発生した場合に、マスター無停電電源装置として予め定められている無停電電源装置１１以外の他の無停電電源装置２１，３１が、無停電電源装置１１から所定時間内に検査信号を受信しない場合に、他の無停電電源装置２１，３１のうち、蓄電部１１２の蓄電量が最も多い無停電電源装置２１，３１がマスター無停電電源装置として動作する。
これにより、予めマスター無停電電源装置として定められている無停電電源装置１１が、一般電力線６の断線等の何らかの原因により通信不能となっている場合でも、他の無停電電源装置２１，３１のうち、何れかがマスター無停電電源装置として動作することができる。そのため、無停電電源装置１１以外の他の無停電電源装置２１，３１は、お互いに、蓄電部１１２に蓄電されている電力を相互利用することができる。
【００８７】
また、他の無停電電源装置２１，３１のうち、蓄電部１１２の蓄電量が最も多い無停電電源装置２１，３１がマスター無停電電源装置として動作する。これにより、新たにマスター無停電電源装置となる無停電電源装置２１，３１の蓄電部１１２がすぐに枯渇してしまうことを防ぐことができる。
【００８８】
また、ＤＣ／ＡＣ変換部１１３は、電力計測部１１１に検出された位相と同じ位相の交流電圧となるように、蓄電部１１２から入力される直流電圧を変換し、屋外電力系統から電力を当該無停電電源装置１１，２１，３１に供給する一般電力線６，７に、変換後の交流電圧を供給する。
これにより、既に一般電力線６，７に供給されている電力の位相に、無停電電源装置１１，２１，３１から当該一般電力線６，７に供給する電力の位相を合わせることができる。そのため、既に一般電力線６，７に供給されている電力の位相と、無停電電源装置１１，２１，３１から当該一般電力線６，７に供給する電力の位相が合わないことによって、供給電力量が低下してしまうことを防止することができる。
【００８９】
また、屋外電力系統の電力が回復した場合に、ＤＣ／ＡＣ変換部１１３は、蓄電部１１２から一般電力線６，７に供給される交流電圧の位相が屋外電力系統の交流電圧の位相に一致するように、蓄電部１１２から一般電力線６，７に供給される交流電圧の位相を段階的に変更する。また、電力配電制御部５は、蓄電部１１２から一般電力線６，７に供給される交流電圧の位相が屋外電力系統の交流電圧に一致した場合に、屋外電力系統と一般電力線６，７との遮断を解除する。
これにより、蓄電部１１２から一般電力線６，７に供給される交流電圧の位相が徐々に変更されるため、変更前の位相の電力と変更後の位相の電力が打ち消しあって、電力がほぼゼロになってしまうことを防ぐことができる。
また、屋外電力系統の電力が回復し、蓄電部１１２による電力供給から屋外電力系統による電力供給に切り替える際に、蓄電部１１２から一般電力線６，７に供給される交流電圧の位相と、屋外電力系統の交流電圧の位相とを合わすことができる。そのため、蓄電部１１２から一般電力線６，７に供給される交流電圧の位相と、屋外電力系統の交流電圧の位相とが合わないことによって、一時的に供給電力量が低下してしまうことを防止することができる。
【００９０】
また、電力配電制御部５のＭＣＵ５５は、通信機４と通信部５２による通信が可能であるか否かに基づいて、当該電力配電制御部５と通信機４とを接続する一般電力線８が正常であるか否かを判断する。そして、電力配電制御部５は、ＭＵＣ５５により、通信不可能と判断された場合に、当該一般電力線８を遮断する。
これにより、無停電電源装置１１，２１，３１や通信機能を有する電子機器と接続されていない一般電力線８についても断線等の障害の有無を検出して、障害がある場合には、当該一般電力線８を遮断し、無停電電源装置１１，２１，３１の電力が電力配電制御部５を介して当該一般電力線８に供給されることを防ぐことができる。
【００９１】
なお、電力配電制御部５は、例えば、配電盤、分電盤等により構成されてもよく、その場合には、電力連携システム１００において、正常ではないと判断された電力線についても、人間が安全上問題がないと判断した場合には、ブレーカを入れなおすことができる。
【符号の説明】
【００９２】
４  通信機
５  電力配電制御部
５２  通信部（第２の通信部）
５３  屋外電力スイッチ部（屋外電力遮断部）
５５  ＭＣＵ（第２の判断手段）
６，７，８  一般電力線（電力線）
１２，２２，３２  個別電力線（電力線）
１１  無停電電源装置（第１の無停電電源装置）
２１，３１  無停電電源装置（他の無停電電源装置）
１１１  電力計測部（位相検出部）
１１２  蓄電部
１１３  ＤＣ／ＡＣ変換部（変換部）
１１４  第１の出力制御回路（出力制御部）
１１５  第２の出力制御回路（出力制御部）
１１６  通信部（第１の通信部）
１１７  ＭＣＵ（第１の判断手段，算出手段，判断手段）
１００  電力連携システム
【図１】
2011067034.tif 000003
【図２】
2011067034.tif 000004
【図３】
2011067034.tif 000005
【図４】
2011067034.tif 000006
【図５】
2011067034.tif 000007
【図６】
2011067034.tif 000008
【図７】
2011067034.tif 000009